(57)【要約】【課題】複数種類いずれのタイプの充電式バッテリを装着した場合でも、ユーザの判別操作を行うことなく複数種類のいずれかのタイプかを自動的に判別して、充電式バッテリの給電可能な残容量をユーザに分かる状態とする。【解決手段】電灯付きラジオ１０はバッテリ識別スイッチ７０を備えるので、複数種類となる２つの充電式バッテリ８０のタイプのうちいずれのタイプの充電式バッテリ８０であるかを識別することができる。また、電灯付きラジオ１０はターミナル基板６５を備えるので、バッテリ識別スイッチ７０にて識別された充電式バッテリ８０のタイプに対応して充電式バッテリの給電可能な残容量を算出することができる。また、電灯付きラジオ１０は液晶画面部５１を備えるので、ターミナル基板６５にて算出された充電式バッテリ８０の給電可能な残容量を外部に認識可能に出力することができる。【選択図】図５
2013070504.tif 000002
【特許請求の範囲】
【請求項１】
電源としてタイプが相違する複数種類の充電式バッテリを装着可能に構成される電気機器であって、
複数種類の前記充電式バッテリのタイプのうちいずれのタイプの該充電式バッテリであるかを識別するバッテリタイプ識別手段と、
前記バッテリタイプ識別手段にて識別された前記充電式バッテリのタイプに対応して該充電式バッテリの給電可能な残容量を算出する残容量算出手段と、
前記残容量算出手段にて算出された前記充電式バッテリの給電可能な残容量を外部に認識可能に出力する外部出力手段と、を備えることを特徴とする電気機器。
【請求項２】
請求項１に記載の電気機器において、
前記バッテリタイプ識別手段にて識別される前記充電式バッテリのタイプとしては、
該充電式バッテリにより給電される定格電圧、該充電式バッテリに具備されるセルの数、該充電式バッテリに具備されるセルの材料等の、給電可能な残容量に影響を与える要素により、区分けされるタイプであることを特徴とする電気機器。
【請求項３】
請求項１または請求項２に記載の電気機器において、
前記バッテリタイプ識別手段は、該電気機器に対する前記充電式バッテリの装着に関する検出により、複数種類の前記充電式バッテリのタイプのうちいずれのタイプの該充電式バッテリであるかを識別するスイッチにて構成されることを特徴とする電気機器。
【請求項４】
請求項３に記載の電気機器において、
前記電気機器に対する前記充電式バッテリの装着に関する検出は、前記充電式バッテリの装着動作に依存していることを特徴とする電気機器。
【請求項５】
請求項４に記載の電気機器において、
前記充電式バッテリの前記装着動作は、スライド動作方式であることを特徴とする電気機器。
【請求項６】
請求項２から請求項５のいずれかに記載の電気機器において、
前記バッテリタイプ識別手段にて識別される前記充電式バッテリのタイプとしては、
前記定格電圧が１８Ｖである充電式バッテリと、前記定格電圧が１４．４Ｖである充電式バッテリとの、２種類のタイプの充電式バッテリであることを特徴とする電気機器。
【請求項７】
請求項４から請求項６のいずれかに記載の電気機器において、
前記スイッチは、該電気機器に対する前記充電式バッテリの装着動作時における、該電気機器に対する該充電式バッテリの電気接続の前に該電気機器に対する前記充電式バッテリの装着に関する検出ができるように、該充電式バッテリを装着する部分に設けられていることを特徴とする電気機器。
【発明の詳細な説明】
【技術分野】
【０００１】
本発明は、電源としてタイプが相違する複数種類の充電式バッテリを装着可能に構成される電気機器に関する。なお、このタイプが相違する複数種類の充電式バッテリとしては、例えば電動工具の電源として利用されるような複数種類の相違する定格電圧にて構成される電動工具用充電式バッテリ等が挙げられる。
【背景技術】
【０００２】
従来、例えば電灯付きラジオ等の電気機器にあっては、電動工具の電源として利用される電動工具用充電式バッテリを電源として利用するものが知られている。この種の電動工具用充電式バッテリを電源として利用する電気機器は、装着された電動工具用充電式バッテリから供給される電力により駆動する。ところで、このような電動工具にあっては、利用分野により電動工具が出力する駆動力に大小の差がある。このため、このような電動工具に装着される電動工具用充電式バッテリは、大きな駆動力が得られるように給電する定格電圧が高く設定されるものや、コンパクト化を図るために給電する定格電圧が低く設定されるもの等、複数種類がある。なお、この電動工具用充電式バッテリを充電する充電器は、このように相違する複数種類の電動工具用充電式バッテリのいずれであっても、相違する複数種類の定格電圧に合わせて充電回路が切り替わって該電動工具用充電式バッテリを充電できるようにしたものが知られている（例えば、特許文献１参照）。
【先行技術文献】
【特許文献】
【０００３】
【特許文献１】特開平２−１１９５３７号明細書
【発明の概要】
【発明が解決しようとする課題】
【０００４】
一方、上記した電気機器にあっては、ユーザの作業効率の観点から、電動工具用充電式バッテリの給電可能な残容量を分かるようにしておきたい。そこで上記した電気機器にあっては、電動工具用充電式バッテリの給電可能な残容量を目視確認できるようにしたものが知られている。具体的には、電動工具用充電式バッテリの給電可能な残容量を算出する算出回路と、この算出回路により算出された給電残容量を表示する液晶画面とを備えた電気機器が知られている。このように構成された電気機器によれば、液晶画面にて算出回路により算出された給電残容量を表示して、電動工具用充電式バッテリが給電可能な残容量が分かるようになる。そうすると、この電動工具を使用するユーザは、装着している電動工具用充電式バッテリの交換タイミングを計ることができて有利である。
【０００５】
しかしながら、上記したように複数種類の電動工具用充電式バッテリのいずれかを装着しようとすると、上記した算出回路は、この装着する電動工具用充電式バッテリの定格電圧に合わせた算出回路に設定することが要される。このため、装着する電動工具用充電式バッテリの定格電圧に合わせてユーザが算出回路の選択をするとなると、電動工具用充電式バッテリの定格電圧をユーザが判別してスイッチ操作をしなくてはならず、ユーザにとって手間がかかって不便なものとなってしまう。
【０００６】
本発明は、このような事情に鑑みなされたものであって、本発明が解決しようとする課題は、電源としてタイプが相違する複数種類の充電式バッテリを装着可能に構成される電気機器であって、複数種類いずれのタイプの充電式バッテリを装着した場合でも、ユーザの判別操作を行うことなく複数種類のいずれかのタイプかを自動的に判別して、充電式バッテリの給電可能な残容量をユーザに分かる状態とすることにある。
【課題を解決するための手段】
【０００７】
上記した課題を解決するにあたって、本発明に係る電気機器は次の手段をとる。
すなわち、本発明の第１の発明に係る電気機器は、電源としてタイプが相違する複数種類の充電式バッテリを装着可能に構成される電気機器であって、複数種類の前記充電式バッテリのタイプのうちいずれのタイプの該充電式バッテリであるかを識別するバッテリタイプ識別手段と、前記バッテリタイプ識別手段にて識別された前記充電式バッテリのタイプに対応して該充電式バッテリの給電可能な残容量を算出する残容量算出手段と、前記残容量算出手段にて算出された前記充電式バッテリの給電可能な残容量を外部に認識可能に出力する外部出力手段と、を備えることを特徴とする。
【０００８】
この第１の発明に係る電気機器によれば、バッテリタイプ識別手段を備えるので、複数種類の充電式バッテリのタイプのうちいずれのタイプの充電式バッテリであるかを識別することができる。また、この電気機器によれば、残容量算出手段を備えるので、バッテリタイプ識別手段にて識別された充電式バッテリのタイプに対応して充電式バッテリの給電可能な残容量を算出することができる。また、この電気機器によれば、外部出力手段を備えるので、残容量算出手段にて算出された充電式バッテリの給電可能な残容量を外部に認識可能に出力することができる。これによって、この第１の発明に係る電気機器によれば、いずれのタイプの充電式バッテリを装着した場合でも、この装着した充電式バッテリのタイプを識別し、この装着した充電式バッテリの給電可能な残容量を外部に認識可能な状態とする。もって、複数種類いずれのタイプの充電式バッテリを装着した場合でも、ユーザの判別操作を行うことなく複数種類のいずれかのタイプかを自動的に判別して、充電式バッテリの給電可能な残容量をユーザに分かる状態とすることができる。
【０００９】
第２の発明に係る電気機器は、前記第１の発明に係る電気機器において、前記バッテリタイプ識別手段にて識別される前記充電式バッテリのタイプとしては、該充電式バッテリにより給電される定格電圧、該充電式バッテリに具備されるセルの数、該充電式バッテリに具備されるセルの材料等の、給電可能な残容量に影響を与える要素により、区分けされるタイプであることを特徴とする。
この第２の発明に係る電気機器によれば、識別される充電式バッテリのタイプとしては、充電式バッテリにより給電される定格電圧、充電式バッテリに具備されるセルの数、充電式バッテリに具備されるセルの材料等の、給電可能な残容量に影響を与える要素により、区分けされるタイプであるので、これら各種の給電可能な残容量に影響を与える要素により、区分けされたタイプの充電式バッテリを装着可能に構成される電気機器とすることができる。
【００１０】
第３の発明に係る電気機器は、前記第１または前記第２の発明に係る電気機器において、前記バッテリタイプ識別手段は、該電気機器に対する前記充電式バッテリの装着に関する検出により、複数種類の前記充電式バッテリのタイプのうちいずれのタイプの該充電式バッテリであるかを識別するスイッチにて構成されることを特徴とする。
この第３の発明に係る電気機器によれば、バッテリタイプ識別手段は、電気機器に対する充電式バッテリの装着に関する検出により、複数種類の充電式バッテリのタイプのうちいずれのタイプの充電式バッテリであるかを識別するスイッチにて構成されるので、充電式バッテリの装着に関連付けて充電式バッテリのタイプを識別することができて、単純な構成とすることができる。
【００１１】
第４の発明に係る電気機器は、前記第３の発明に係る電気機器において、前記電気機器に対する前記充電式バッテリの装着に関する検出は、前記充電式バッテリの装着動作に依存していることを特徴とする。
この第４の発明に係る電気機器によれば、電気機器に対する充電式バッテリの装着に関する検出は、充電式バッテリの装着動作に依存しているので、電気機器に対する充電式バッテリの装着に関する検出を、充電式バッテリの装着動作に応じたものとすることができる。これによって、スイッチの切替えが充電式バッテリの装着動作の動きを利用したものなるので、このスイッチの切替えを確実に行えることとなる。
【００１２】
第５の発明に係る電気機器は、前記第４の発明に係る電気機器において、前記充電式バッテリの前記装着動作は、スライド動作方式であることを特徴とする。
この第５の発明に係る電気機器によれば、充電式バッテリの装着動作は、スライド動作方式であるので、スライド動作のストロークを利用して電気機器に対する充電式バッテリの装着に関する検出を行うことができる。これによって、スイッチの切替えがスライド動作のストロークを利用したものなるので、このスイッチの切替えを、さらに確実に行えることとなる。
【００１３】
第６の発明に係る電気機器は、前記第２から前記第５のいずれかの発明に係る電気機器において、前記バッテリタイプ識別手段にて識別される前記充電式バッテリのタイプとしては、前記定格電圧が１８Ｖである充電式バッテリと、前記定格電圧が１４．４Ｖである充電式バッテリとの、２種類のタイプの充電式バッテリであることを特徴とする。
この第６の発明に係る電気機器によれば、バッテリタイプ識別手段にて識別される充電式バッテリのタイプとしては、定格電圧が１８Ｖである充電式バッテリと、定格電圧が１４．４Ｖである充電式バッテリとの、２種類のタイプの充電式バッテリであるので、これら２種類の定格電圧のタイプの充電式バッテリを装着する場合に、１８Ｖまたは１４．４Ｖの、いずれかの定格電圧の充電式バッテリであるかを識別することができる。
【００１４】
第７の発明に係る電気機器は、前記第４から前記第６のいずれかの発明に係る電気機器において、前記スイッチは、該電気機器に対する前記充電式バッテリの装着動作時における、該電気機器に対する該充電式バッテリの電気接続の前に該電気機器に対する前記充電式バッテリの装着に関する検出ができるように、該充電式バッテリを装着する部分に設けられていることを特徴とする。
この第７の発明に係る電気機器によれば、スイッチは、電気機器に対する充電式バッテリの装着動作時における、電気機器に対する充電式バッテリの電気接続の前に電気機器に対する充電式バッテリの装着に関する検出ができるように、充電式バッテリを装着する部分に設けられているので、電気機器に対する充電式バッテリの電気接続の前にスイッチの切替えを行うことができる。これによって、この電気機器によれば、充電式バッテリから電気機器に給電する前に、いずれのタイプの充電式バッテリであるかを識別することができる。したがって、充電式バッテリから電気機器に給電する前に、該充電式バッテリの定格電圧に対応した回路を選択することができて、電気機器を構成する回路に対して過電圧をかけないようにすることができ、電気機器の機能を有利に確保することができる。また、このように充電式バッテリから電気機器に給電する前に該充電式バッテリの定格電圧に対応した回路を選択することができると、電気機器の誤作動も防止することができる。
【発明の効果】
【００１５】
第１の発明に係る電気機器によれば、複数種類いずれのタイプの充電式バッテリを装着した場合でも、ユーザの判別操作を行うことなく複数種類のいずれかのタイプかを自動的に判別して、充電式バッテリの給電可能な残容量をユーザに分かる状態とすることができる。
第２の発明に係る電気機器によれば、給電可能な残容量に影響を与える要素により区分けされたタイプの充電式バッテリを装着可能に構成される電気機器とすることができる。
第３の発明に係る電気機器によれば、充電式バッテリの装着に関連付けて充電式バッテリのタイプを識別することができて、単純な構成とすることができる。
第４の発明に係る電気機器によれば、スイッチの切替えが充電式バッテリの装着動作の動きを利用したものなるので、このスイッチの切替えを確実に行えることとなる。
第５の発明に係る電気機器によれば、スイッチの切替えがスライド動作のストロークを利用したものなるので、このスイッチの切替えを、さらに確実に行えることとなる。
第６の発明に係る電気機器によれば、１８Ｖまたは１４．４Ｖの、いずれかの定格電圧の充電式バッテリであるかを識別することができる。
第７の発明に係る電気機器によれば、充電式バッテリから電気機器に給電する前に、該充電式バッテリの定格電圧に対応した回路を選択することができて、電気機器を構成する回路に対して過電圧をかけないようにすることができる上、電気機器の誤作動も防止することができる。
【図面の簡単な説明】
【００１６】
【図１】電灯付きラジオの外観を斜視にて示す外観斜視図である。
【図２】機器本体のバッテリ装着部を見えるように示す外観斜視図である。
【図３】機器本体の内部構造を見えるように示す内部構造斜視図である。
【図４】液晶画面部を拡大して示す拡大図である。
【図５】給電する定格電圧が１４．４Ｖに設定される充電式バッテリを装着した場合のバッテリ識別スイッチの作動状態を側面視にて示す一部切欠き断面図である。
【図６】給電する定格電圧が１８Ｖに設定される充電式バッテリを装着した場合のバッテリ識別スイッチの非作動状態を側面視にて示す一部切欠き断面図である。
【図７】数値表示の例である液晶画面部を拡大して示す拡大図である。
【発明を実施するための形態】
【００１７】
以下、本発明に係る電気機器を実施するための実施の形態について、図１〜図６を参照しながら説明する。図１は、電灯付きラジオ１０の外観を斜視にて示す外観斜視図である。図２は、機器本体１５のバッテリ装着部６０を見えるように示す外観斜視図である。図３は、機器本体１５の内部構造を見えるように示す内部構造斜視図である。なお、以下の説明を分かり易くするために、図１等に示すとおりで機器本体１５と充電式バッテリ８０とを含む電灯付きラジオ１０に関する前後上下左右を規定している。
この図１〜図３に示す電灯付きラジオ１０は、本発明に係る電気機器の一例である。この電灯付きラジオ１０は、電力を利用して、電灯とラジオとの双方の機能を発揮する電気機器である。このため、この電灯付きラジオ１０は、これら双方の機能を発揮するための各種の構成を具備する機器本体１５と、この機器本体１５に装着させることにより電源として機能する充電式バッテリ８０とを備えて構成されることとなっている。なお、図１は、機器本体１５に充電式バッテリ８０が装着された電灯付きラジオ１０を図示するものであり、図２は、この機器本体１５から充電式バッテリ８０が取り外された電灯付きラジオ１０の機器本体１５の裏側を図示するものとなっている。
【００１８】
次に、機器本体１５の概略について説明する。この機器本体１５には、上記したように後に詳述する充電式バッテリ８０を装着可能とするバッテリ装着部６０が設けられて構成される。すなわち、この電灯付きラジオ１０の機器本体１５は、図１等に示すように、概略、電灯部２０と、ラジオ部４０と、バッテリ装着部６０とを備える。
電灯部２０は、この電灯付きラジオ１０の略上半分において構成されている。すなわち、図１に示すように、電灯部２０は、概略、手握り部２１と、操作スイッチ部２５と、照射部３１と、を備える。
手握り部２１は、ユーザの手により握られる部分であり、適宜のグリップ形状にて形成されている。この手握り部２１は、ユーザの手により手握りし易くなるように、適宜の滑り止め樹脂部材２２が外装をなしながら配設されている。
操作スイッチ部２５は、次に説明する照射部３１への給電のオンオフ切替え可能に構成される。この操作スイッチ部２５は、機器本体１５の最上部であり上記した手握り部２１の前側部に位置決められている。このため、この操作スイッチ部２５は、上記した手握り部２１を手握りした状態で握り手の親指で押下することができて、操作性に優れたものとなっている。すなわち、この操作スイッチ部２５は、図３の内部構造でも示すように、いわゆる押下式の接点スイッチ２６と、制御基板２８とを備える。接点スイッチ２６は、広く利用される機械式の接点スイッチであり、押下されるたびにオンオフが切り替わる。なお、この接点スイッチ２６は、適宜に変形可能なゴムカバー体２９により外周部分が被覆されている。接点スイッチ２６は、このゴムカバー体２９により接点スイッチ２６側への防水機能が確保されている。また、制御基板２８は、この接点スイッチ２６の押下に基づくオンオフの切り替わりにより、照射部３１への給電を制御するようになっている。
【００１９】
照射部３１は、被照射体に向けて照射するように点灯するものであり、照射方向が上下方向で変更することができるように首振り式の連結構造を有して構成される。この照射部３１は、機器本体１５の上側部かつ最前部に位置決められている。すなわち、照射部３１は、図３の内部構造でも示すように、首振り連結部３２と、照射ユニット３５とを備える。首振り連結部３２は、照射ユニット３５を機器本体１５に対して適宜に回動させるとともに、適宜の回動位置で照射ユニット３５を支持するように構成される。このため、照射ユニット３５の照射方向は、上下方向に向けた角度調節をすることができるようになっている。照射ユニット３５は、ユーザにより上記した操作スイッチ部２５をオンとした場合には電力が供給されて照射状態となり、上記した操作スイッチ部２５をオフとした場合には電力の供給が遮断されて消灯状態となる。すなわち、照射ユニット３５は、電力が供給されることにより点灯する不図示の点灯ランプと、この点灯ランプの点灯を集約して指向させる反射鏡部（図示符号３７）とを備える。不図示の点灯ランプ部は、適宜のＬＥＤ（light emitting diode）で構成されており、上記した制御基板２８による給電の制御により点灯したり消灯したりする。反射鏡部３７は、広く利用される反射鏡構造が利用されている。なお、この照射ユニット３５は、点灯ランプ部の交換をし易くするために内部が簡単に開け閉めできるように、螺子回しカバー体３８により蓋構造がなされている。
【００２０】
ラジオ部４０は、この電灯付きラジオ１０の略下半分において構成されている。すなわち、図１に示すように、ラジオ部４０は、概略、操作部４１と、液晶画面部５１と、出力スピーカ部５６と、を備える。また、
操作部４１は、概略、主たるラジオ部４０の操作を行う主操作部４２と、副たるラジオ部４０の操作を行う副操作部４３と、これら主操作部４２および副操作部４３からの操作入力にしたがって制御処理する制御基板４７とを備える。すなわち、主操作部４２は、ラジオ部４０の給電のオンオフ切替えや、ＡＭ放送およびＦＭ放送の周波数帯域の切替えをするものであり、機器本体１５の上側の側面部分に配設されている。この主操作部４２を一度押下すると、ラジオ部４０に給電されないオフ状態からラジオ部４０に給電するオン状態に切り替わるとともに、ＡＭ放送の周波数帯域が選択されるものとなっている。これに対して、この主操作部４２を再び押下すると、ラジオ部４０に給電するオン状態のまま、ＡＭ放送の周波数帯域からＦＭ放送の周波数帯域に切り替わる。さらに、この主操作部４２を再び押下すると、ラジオ部４０に給電するオン状態のまま、ＦＭ放送の周波数帯域からＡＭ放送の周波数帯域に切り替わる。そして、この主操作部４２を長押しすると、ラジオ部４０に給電するオン状態からラジオ部４０に給電されないオフ状態に切り替わる。また、副操作部４３は、概略、音量操作部４４と、チューニング操作部４５と、プリセット操作部４６とを具備しており、機器本体１５の略中間の側面部分に配設されている。具体的には、音量操作部４４は、次に説明する出力スピーカ部５６からの出力音量を調整する押下スイッチである。また、チューニング操作部４５は、同一周波数帯域において周波数を段階調整するための押下スイッチである。また、プリセット操作部４６は、予めセッティングされた周波数に瞬時にアクセスするための押下スイッチである。
これら主操作部４２および副操作部４３（音量操作部４４、チューニング操作部４５、プリセット操作部４６）の操作は、制御基板４７に入力される。このように入力された制御基板４７は、主操作部４２および副操作部４３からの操作入力に基づいて適宜に制御処理し、この制御処理した処理内容を、液晶画面部５１および出力スピーカ部５６に入力する。なお、図示符号４９は、ＡＭアンテナである。このＡＭアンテナ４９は、ＡＭ放送の周波数帯域を選択している場合に、ＡＭ放送の電波を受信する。
【００２１】
液晶画面部５１は、上記した制御基板４７から入力される制御基板４７の制御処理内容に基づき、外部に認識可能に表示出力するものである。つまり、液晶画面部５１は、ラジオ部４０のオン状態で機能している場合に、このラジオ部４０に関する情報を表示出力する。このため、液晶画面部５１は、上記した制御基板４７の制御処理の処理内容が入力される表示制御基板５２と、この表示制御基板５２にて制御処理された処理内容に基づき、外部に認識可能に表示出力する表示液晶画面５３とを備える。なお、表示液晶画面５３は、広く利用される液晶パネルを具備して構成される。
図４は、表示液晶画面５３を拡大して示す拡大図である。この表示液晶画面５３は、４種類の情報を表示出力する。すなわち、表示液晶画面５３における図示符号５３１は、ＡＭ放送およびＦＭ放送のいずれの放送であるかを表示するものである。また、液晶画面部５１における図示符号５３２は、現在選択されている周波数を表示するものである。また、液晶画面部５１における図示符号５３３は、現在選択されているプリセット操作部３６の操作番号を表示するものである。また、液晶画面部５１における図示符号５３４は、後に詳述するが、充電式バッテリ８０の給電可能な残容量を表示するものである。なお、この液晶画面部５１は、後に詳述するが、外部に認識可能に表示出力する本発明に係る外部出力手段に相当する。
出力スピーカ部５６は、上記した制御基板４７から入力される制御基板４７の制御処理内容に基づき、外部に音声出力する。つまり、出力スピーカ部５６は、広く利用される不図示の増幅器と不図示の振動板とを具備して構成され、外部に音声出力するようになっている。この出力スピーカ部５６は、照射部３１（電灯部２０）の下側であり、この電灯付きラジオ１０の前面側に面するように配設されている。
【００２２】
次に、バッテリ装着部６０および充電式バッテリ８０について説明する。なお、このバッテリ装着部６０には、給電する定格電圧が１４．４Ｖに設定される充電式バッテリ８１と、給電する定格電圧が１８Ｖに設定される充電式バッテリ８６との２種類のタイプの充電式バッテリ８０を装着可能に構成される。なお、バッテリ装着部６０に対する充電式バッテリ８１，８６のスライド装着は、機器本体１５の後ろから前に向けて充電式バッテリ８１，８６をスライド移動させることにより、バッテリ装着部６０に対して充電式バッテリ８１，８６が装着されるようになっている。
この充電式バッテリ８０（定格電圧１４．４Ｖタイプの充電式バッテリ８１，定格電圧１８Ｖタイプの充電式バッテリ８６）は、広く利用される電動工具の電源として、電動工具本体に装着される電動工具用充電式バッテリである。すなわち、これらの充電式バッテリ８１，８６は、充電された電力を給電することにより駆動モータを回転駆動させて利用する電動工具、すなわちドライバ、レンチ、ドリル、レシプロソー、チェーンソー、バンドソー、ジグソー、マルノコ、グラインダ、タッカ等の電力駆動の電動工具の電源として利用される電動工具用の充電式バッテリとなっている。
つまり、上記した給電する定格電圧が１４．４Ｖに設定される充電式バッテリ８１と、給電する定格電圧が１８Ｖに設定される充電式バッテリ８６とは、給電する定格電圧が相違することでタイプが区分けされるものである。また、これらの充電式バッテリ８１，８６は、この電灯付きラジオ１０の機器本体１５および電動工具本体（不図示）に対してスライド装着させるタイプの充電式バッテリである。このため、詳細に図示していないが、これらの充電式バッテリ８１，８６の双方は、ともにスライドガイド部８２，８７および係止フック構造体８３，８８が設けられている。すなわち、これらの充電式バッテリ８１，８６は、スライドガイド部８２，８７によって機器本体１５に対するスライド装着が案内されるとともに、係止フック構造体８３，８８によって機器本体１５に対するスライド装着状態が保持されることとなる。また、これらの充電式バッテリ８１，８６には、充電および給電するに際して、不図示の充電器、不図示の電動工具本体、上記した機器本体１５等に電気的に接続するためのターミナル端子（不図示）が設けられている。
【００２３】
すなわち、上記した機器本体１５に設けられるバッテリ装着部６０は、図２に示すように、概略、スライド装着ガイド部６１と、接続ターミナル部６３と、バッテリ識別スイッチ７０とを備える。また、図５は、バッテリ装着部６０に１４．４Ｖの充電式バッテリ８１を装着した場合のバッテリ識別スイッチ７０の作動状態を側面視にて示す一部切欠き断面図である。また、図６は、バッテリ装着部６０に１８Ｖの充電式バッテリ８６を装着した場合のバッテリ識別スイッチ７０の非作動状態を側面視にて示す一部切欠き断面図である。スライド装着ガイド部６１は、上記した定格電圧１４．４Ｖの給電タイプの充電式バッテリ８１および定格電圧１８Ｖの給電タイプの充電式バッテリ８６の、スライドガイド部８２，８７が嵌め合わされ、この状態で機器本体１５に対する充電式バッテリ８１，８６のスライド装着を案内する。接続ターミナル部６３は、上記した定格電圧１４．４Ｖの給電タイプの充電式バッテリ８１および定格電圧１８Ｖの給電タイプの充電式バッテリ８６の、ターミナル端子（不図示）が嵌め合わされるようになっている。なお、この接続ターミナル部６３はリード板に形成された雄形をなしており、これに対してターミナル端子（不図示）はリード板が嵌入可能な雌形をなしている。つまり、このバッテリ装着部６０に装着させる充電式バッテリ８０（８１，８６）の装着動作は、機器本体１５の前後方向でスライドさせることによるスライド動作方式となっている。なお、バッテリ装着部６０に充電式バッテリ８０（８１，８６）がスライド装着すると、係止フック構造体８３，８８が係止凹部６２に嵌まってスライド装着完了状態となる。
【００２４】
図５および図６に示すように、接続ターミナル部６３は、ターミナル基板６５に電気接続されている。つまり、充電式バッテリ８０（８１，８６）の不図示のターミナル端子が接続ターミナル部６３に電気接続された場合には、このターミナル端子を介してターミナル基板６５に、充電式バッテリ８０（８１，８６）に充電された電力が流れる通電可能状態となる。なお、このターミナル基板６５は、特に図示していないが、定格電圧１４．４Ｖの給電タイプの充電式バッテリ８１と、定格電圧１８Ｖの給電タイプの充電式バッテリ８６とに応じて、回路が切り替えて制御処理できるように構成されている。つまり、このターミナル基板６５は、本発明に係る残容量算出手段に相当し、次に詳述するバッテリ識別スイッチ７０にて識別された充電式バッテリ８０（８１，８６）の定格電圧（１４．４Ｖ，１８Ｖ）の２種類のタイプに応じて、この充電式バッテリ８０（８１，８６）の給電可能な残容量を算出することができるように構成されている。なお、充電式バッテリ８０（８１，８６）の定格電圧（１４．４Ｖ，１８Ｖ）の２種類のタイプに応じた給電可能な残容量を算出とは、２種類のタイプに適合した回路を選択することにより行われるものとなっている。ここで、この２種類の充電式バッテリ８０（８１，８６）の定格電圧（１４．４Ｖ，１８Ｖ）のタイプに応じたそれぞれの回路は、それぞれの定格電圧（１４．４Ｖ，１８Ｖ）に応じた満充電（フル充電）の全容量を考慮して給電可能な残容量を算出するものとしている。また、図３等に示す符号６６は、ターミナル基板６５を冷却するためのヒートシンクである。
【００２５】
次に、バッテリ識別スイッチ７０について詳述する。
バッテリ識別スイッチ７０は、本発明に係るバッテリタイプ識別手段に相当する。すなわち、バッテリ識別スイッチ７０は、上記したように定格電圧１４．４Ｖの給電タイプの充電式バッテリ８１と、定格電圧１８Ｖの給電タイプの充電式バッテリ８６との、２種類の充電式バッテリ８０のタイプのうちいずれのタイプであるかを識別する。すなわち、このバッテリ識別スイッチ７０は、電灯付きラジオ１０の機器本体１５に対する充電式バッテリ８１，８６の装着に関する検出により、２種類の充電式バッテリ８１，８６のタイプのうちいずれのタイプの充電式バッテリ８１，８６であるかを識別するスイッチ構造にて構成される。
図５および図６の余白に図示する丸抜き図面は、このバッテリ識別スイッチ７０に関する箇所を拡大して図示するものである。バッテリ識別スイッチ７０は、この図５および図６の丸抜き図面で示すように、概略、接点スイッチ７１と、接触進退部材７５とを備える。接点スイッチ７１は、上記した操作スイッチ部２５にも配設される接点スイッチと略同様の機械式スイッチにて構成されている。すなわち、接点スイッチ７１は、接触通電状態でスイッチオン状態となり、非接触非通電状態でスイッチオフ状態となる機械式スイッチにて構成されている。
【００２６】
図５および図６の丸抜き図面で示すように、接点スイッチ７１は、通電状態あるいは非通電状態を検出するスイッチ本体７２と、上下動することによりスイッチ本体７２を通電状態あるいは非通電状態に切り替えるスイッチレバー７３とを備える。スイッチ本体７２の内部には、通電状態をオンオフ切り替える接点構造が設けられている。スイッチレバー７３は、この接点構造のオンオフ切替えを行うものである。すなわち、スイッチレバー７３は、常態時に下側に位置するようになっている。このようにスイッチレバー７３が下側位置に位置している場合には、スイッチ本体７２の接点構造はオフ状態となり、スイッチ本体７２は非通電状態となる。これとは逆に、スイッチレバー７３が常態時の下側から上側に押されて該上側位置に位置している場合には、スイッチ本体７２の接点構造はオン状態となり、スイッチ本体７２は通電状態となる。なお、このようにスイッチ本体７２の通電は、ターミナル基板６５に向けて送られるものとなっている。つまり、ターミナル基板６５は、スイッチ本体７２の通電と非通電とを識別することにより、上記したように定格電圧１４．４Ｖの給電タイプの充電式バッテリ８１と、定格電圧１８Ｖの給電タイプの充電式バッテリ８６との、２種類の充電式バッテリ８０のタイプのうちいずれのタイプであるかを識別するようになっている。具体的に言えば、ターミナル基板６５は、スイッチ本体７２が通電となっていると判断した場合には、定格電圧１４．４Ｖの給電タイプの充電式バッテリ８１が装着されていると識別し、スイッチ本体７２が非通電となっていると判断した場合には、定格電圧１８Ｖの給電タイプの充電式バッテリ８６が装着されていると識別する。
【００２７】
また、スイッチレバー７３には、接触進退部材７５が取り付けられている。図５および図６の丸抜き図面で示すように、接触進退部材７５は、基端側（図示上端側）となる連接部７６と、先端側（図示下端側）となるバッテリ接触部７７とを具備する。連接部７６は、スイッチレバー７３と結合するようにスイッチレバー７３に取り付けられている。このため、スイッチレバー７３と接触進退部材７５とは一体可動するようになっている。この接触進退部材７５の先端側（図示下端側）は、バッテリ装着部６０から外部に突き出すバッテリ接触部７７として形成される。このバッテリ接触部７７は、バッテリ装着部６０において前後方向に延びた矩形溝となる突出孔７９から外部に突き出すように形成されている。このバッテリ接触部７７は、図示するように先端が尖った側面視逆三角形にて形成される。詳しく言えば、バッテリ接触部７７は、充電式バッテリ８０のスライド装着方向に沿った前後方向に面して勾配を有するように適宜の傾斜形状が形成されている。このように突出孔７９から外部に突き出すように形成されるバッテリ接触部７７は、充電式バッテリ８１のスライドガイド部８２が当てられる部分である。また、このバッテリ接触部７７の傾斜形状は、充電式バッテリ８１のスライドガイド部８２がスライド装着方向で当たるように形成されている。
【００２８】
具体的には、図５に示すように、充電式バッテリ８１をバッテリ装着部６０にスライド装着させた場合には、充電式バッテリ８１のスライドガイド部８２はバッテリ接触部７７に後ろから前に向かうように当てられて、充電式バッテリ８１はバッテリ装着部６０にスライド装着される。そうすると、このバッテリ接触部７７は上側に向けて移動させられて、接触進退部材７５自体も上側位置に位置することとなる。これによってスイッチレバー７３は、常態時の下側から上側に押されて該上側位置に位置し、スイッチ本体７２の接点構造はオン状態となり、スイッチ本体７２は通電状態となる。このようにスイッチ本体７２が通電状態となると、ターミナル基板６５は、スライド装着されている充電式バッテリ８０を定格電圧１４．４Ｖの給電タイプの充電式バッテリ８１であると識別し、この定格電圧１４．４Ｖに適合した回路を選択することとなる。次いで、このように適合した回路を選択したターミナル基板６５（残容量算出手段）は、この適合した回路により算出された充電式バッテリ８１の給電可能な残容量の情報を、上記した液晶画面部５１に送ることとなる。そして、この液晶画面部５１は、目視により外部に認識可能に表示出力することとなる。つまり、液晶画面部５１における図示符号５３４により、充電式バッテリ８１（８０）の給電可能な残容量を、ユーザに目視可能に表示されるようになっている。なお、この給電可能な残容量は、図示符号５３４のとおりで給電可能な残容量を３段階で区分けして表示することができる３段階図柄表示となっている。
これとは逆に、図６に示すように、充電式バッテリ８６をバッテリ装着部６０にスライド装着させた場合には、充電式バッテリ８６のスライドガイド部８７はバッテリ接触部７７に当てられることなく、充電式バッテリ８６はバッテリ装着部６０にスライド装着される。そうすると、このバッテリ接触部７７は上側に向けて移動せずに接触進退部材７５自体も常態時のままの下側位置に位置することとなる。これによってスイッチレバー７３は、常態時のまま下側位置に位置したまま、スイッチ本体７２の接点構造はオフ状態のまま、スイッチ本体７２は非通電状態のままとなる。このようにスイッチ本体７２が非電状態のままとなっていると、ターミナル基板６５は、スライド装着されている充電式バッテリ８０を定格電圧１８Ｖの給電タイプの充電式バッテリ８６であると識別し、この定格電圧１８Ｖに適合した回路を選択することとなる。次いで、このように適合した回路を選択したターミナル基板６５（残容量算出手段）は、この適合した回路により算出された充電式バッテリ８６の給電可能な残容量の情報を、上記した液晶画面部５１に送ることとなる。そして、この液晶画面部５１は、目視により外部に認識可能に表示出力することとなる。つまり、液晶画面部５１における図示符号５３４により、充電式バッテリ８６（８０）の給電可能な残容量を、ユーザに目視可能に表示されるようになっている。なお、この給電可能な残容量も、図示符号５３４のとおりで３段階表示となっている。
【００２９】
なお、このバッテリ識別スイッチ７０は、電灯付きラジオ１０の機器本体１５に対する充電式バッテリ８０（８１，８６）の装着動作時における、機器本体１５に対する充電式バッテリ８０（８１，８６）の電気接続の前に、機器本体１５に対する充電式バッテリ８０（８１，８６）のスライド装着に関する検出ができるように、充電式バッテリ８０（８１，８６）を装着するバッテリ装着部６０に設けられている。具体的には、バッテリ識別スイッチ７０の配設位置は、スライド移動する充電式バッテリ８０（８１，８６）のターミナル端子８４，８９がバッテリ装着部６０の接続ターミナル部６３と電気接続される前に、充電式バッテリ８１のスライドガイド部８２に当たるようになっている。つまり、スイッチ本体７２の通電状態および非通電状態によるターミナル基板６５の充電式バッテリ８０（８１，８６）の識別、ターミナル基板６５による充電式バッテリ８０（８１，８６）の定格電圧に適合した回路の選択、これらが完了した後に、スライド移動する充電式バッテリ８０（８１，８６）のターミナル端子８４，８９が、バッテリ装着部６０の接続ターミナル部６３に電気接続されるようになっている。つまり、バッテリ識別スイッチ７０は、充電式バッテリ８０（８１，８６）のスライド装着動作に依存して、機器本体１５に対する充電式バッテリ８０（８１，８６）の装着に関する検出を行うこととなる。
【００３０】
上記した電灯付きラジオ１０によれば、バッテリ識別スイッチ７０を備えるので、複数種類となる２つの充電式バッテリ８０（８１，８６）のタイプのうちいずれのタイプの充電式バッテリ８０（８１，８６）であるかを識別することができる。また、この電灯付きラジオ１０によれば、ターミナル基板６５を備えるので、バッテリ識別スイッチ７０にて識別された充電式バッテリ８０（８１，８６）のタイプに対応して充電式バッテリ８０（８１，８６）の給電可能な残容量を算出することができる。また、この電灯付きラジオ１０によれば、液晶画面部５１を備えるので、ターミナル基板６５にて算出された充電式バッテリ８０（８１，８６）の給電可能な残容量を外部に認識可能に出力することができる。これによって、上記した電灯付きラジオ１０によれば、いずれのタイプの充電式バッテリ８０（８１，８６）を装着した場合でも、この装着した充電式バッテリ８０（８１，８６）のタイプを識別し、この装着した充電式バッテリ８０（８１，８６）の給電可能な残容量を外部に認識可能な状態とする。もって、複数種類いずれのタイプの充電式バッテリ８０（８１，８６）を装着した場合でも、ユーザの判別操作を行うことなく複数種類のいずれかのタイプかを自動的に判別して、充電式バッテリ８０（８１，８６）の給電可能な残容量をユーザに分かる状態とすることができる。
【００３１】
また、上記した電灯付きラジオ１０によれば、識別される充電式バッテリ８０（８１，８６）のタイプとしては、充電式バッテリ８０（８１，８６）により給電される定格電圧のタイプによるものであるので、給電可能な残容量に影響を与える要素により区分けされたタイプの充電式バッテリ８０（８１，８６）を装着可能に構成される電灯付きラジオ１０とすることができる。また、上記した電灯付きラジオ１０によれば、バッテリ識別スイッチ７０は、電灯付きラジオ１０に対する充電式バッテリ８０（８１，８６）の装着に関する検出により、複数種類の充電式バッテリ８０（８１，８６）のタイプのうちいずれのタイプの充電式バッテリ８０（８１，８６）であるかを識別するバッテリ識別スイッチ７０にて構成されるので、充電式バッテリ８０（８１，８６）の装着に関連付けて充電式バッテリ８０（８１，８６）のタイプを識別することができて、単純な構成とすることができる。また、上記した電灯付きラジオ１０によれば、電灯付きラジオ１０の機器本体１５に対する充電式バッテリ８０（８１，８６）の装着に関する検出は、充電式バッテリ８０（８１，８６）の装着動作に依存しているので、電灯付きラジオ１０に対する充電式バッテリ８０（８１，８６）の装着に関する検出を、充電式バッテリ８０（８１，８６）の装着動作に応じたものとすることができる。これによって、バッテリ識別スイッチ７０の切替えが充電式バッテリ８０（８１，８６）の装着動作の動きを利用したものなるので、このバッテリ識別スイッチ７０の切替えを確実に行えることとなる。また、上記した電灯付きラジオ１０によれば、充電式バッテリ８０（８１，８６）の装着動作は、スライド動作方式であるので、スライド動作のストロークを利用して電灯付きラジオ１０に対する充電式バッテリ８０（８１，８６）の装着に関する検出を行うことができる。これによって、バッテリ識別スイッチ７０の切替えがスライド動作のストロークを利用したものなるので、このバッテリ識別スイッチ７０の切替えを、さらに確実に行えることとなる。
【００３２】
また、上記した電灯付きラジオ１０によれば、バッテリ識別スイッチ７０にて識別される充電式バッテリ８０（８１，８６）のタイプとしては、定格電圧が１４．４Ｖである充電式バッテリ８１と、定格電圧が１８Ｖである充電式バッテリ８６との、２種類のタイプの充電式バッテリ８０であるので、これら２種類の定格電圧のタイプの充電式バッテリ８０（８１，８６）を装着する場合に、１４．４Ｖまたは１８Ｖの、いずれかの定格電圧の充電式バッテリ８０であるかを識別することができる。
また、上記した電灯付きラジオ１０によれば、バッテリ識別スイッチ７０は、電灯付きラジオ１０の機器本体１５に対する充電式バッテリ８０（８１，８６）の装着動作時における、電灯付きラジオ１０の機器本体１５に対する充電式バッテリ８０（８１，８６）の電気接続の前に電灯付きラジオ１０に対する充電式バッテリ８０（８１，８６）の装着に関する検出ができるように、充電式バッテリ８０（８１，８６）を装着する部分に設けられているので、電灯付きラジオ１０の機器本体１５に対する充電式バッテリ８０（８１，８６）の電気接続の前にバッテリ識別スイッチ７０の切替えを行うことができる。これによって、この電灯付きラジオ１０によれば、充電式バッテリ８０（８１，８６）から電灯付きラジオ１０に給電する前に、いずれのタイプの充電式バッテリ８０（８１，８６）であるかを識別することができる。したがって、充電式バッテリ８０（８１，８６）から電灯付きラジオ１０に給電する前に、該充電式バッテリ８０（８１，８６）の定格電圧に対応した回路を選択することができて、電灯付きラジオ１０を構成する回路に対して過電圧をかけないようにすることができ、電灯付きラジオ１０の機能を有利に確保することができる。また、このように充電式バッテリ８０（８１，８６）から電灯付きラジオ１０に給電する前に該充電式バッテリ８０（８１，８６）の定格電圧に対応した回路を選択することができると、電灯付きラジオ１０の誤作動も防止することができる。つまり、上記したバッテリ装着部６０に定格電圧１４．４Ｖの充電式バッテリ８１を装着する場合には、バッテリ識別スイッチ７０のスイッチ本体７２が通電状態となるまで、ターミナル基板６５は、定格電圧１８Ｖの充電式バッテリ８１に適合した回路を選択していることとなる。このため、このような場合に充電式バッテリ８１のターミナル端子８４がバッテリ装着部６０の接続ターミナル部６３に電気接続してしまうと、ターミナル基板６５が定格電圧１８Ｖの充電式バッテリ８１と誤認して作動しかねないこととなる。しかしながら、上記したバッテリ識別スイッチ７０は、機器本体１５に対する充電式バッテリ８０の電気接続の前に定格電圧１４．４Ｖの充電式バッテリ８１であることの識別ができるようになっているので、このような誤認しての作動を防止することができることとなる。
【００３３】
なお、本発明に係る電気機器にあっては、上記した実施の形態に限定されるものではなく、次のように適宜個所を変更して構成するようにしてもよい。
例えば、上記した実施の形態にあっては、手持ちすることができる電灯付きラジオ１０を、本発明に係る電気機器の例示として説明するものであった。しかしながら、本発明に係る電気機器としては、上記した電灯付きラジオ１０の例に限定されることなく、例えば、携帯用の電動工具（携帯電気ドライバー）や、園芸工具（草刈機、生垣バリカン）や、携帯音楽プレーヤーを接続して大きな音を出力する音楽出力装置等、適宜の電気機器であってもよい。
また、上記した実施の形態における本発明に係るバッテリタイプ識別手段は、機械式スイッチとなる接点スイッチ７１を具備するバッテリ識別スイッチ７０にて構成されるものとなっていた。しかしながら、本発明に係るバッテリタイプ識別手段としては、これに限定されるものではなく、複数種類の充電式バッテリのタイプのうちいずれのタイプの充電式バッテリであるかを識別する機能を有するものであればよいものである。つまり、充電式バッテリが、該充電式バッテリの充電残量を検出する充電残量検出部と、該充電残量検出器により検出された該充電式バッテリの充電残量を制御信号として送信する送信部とを具備し、この送信された制御信号により複数種類の充電式バッテリのタイプのうちいずれのタイプの充電式バッテリであるかを識別するものであってもよい。
【００３４】
また、上記した実施の形態にあっては、充電式バッテリ８０（８１，８６）の給電可能な残容量を外部に認識可能に出力する外部出力手段として、液晶画面部５１を例示して説明するものであった。しかしながら、本発明に係る外部出力手段としては、このように目視により外部に認識可能に出力する例示に限定されることなく、例えば適宜の点灯表示する表示出力であってよく、また例えば上記した出力スピーカ部５６等にて音声出力するものであってもよく、充電式バッテリの給電可能な残容量を、外部に認識可能に表示出力あるいは音声出力のいずれかがなされればよいものである。
また、図４における符号５３４に示すように、上記した充電式バッテリ８１（８０）の給電可能な残容量は３段階図柄表示によるものとなっていた。しかしながら、本発明に係る給電可能な残容量の表示としては、このような３段階図柄表示に限定されることなく、４段階や５段階で区分けして表示する４段階図柄表示や５段階図柄表示によるものであってもよい。加えて言えば、本発明に係る給電可能な残容量の表示としては、このような段階的な図柄の表示によるものに限定されることなく、例えば図７に示すような数値表示によるものであってもよい。すなわち図７は、数値表示の例である液晶画面部５１Ａを拡大して示す拡大図である。図７に示す液晶画面部５１Ａは、充電式バッテリ８１（８０）の給電可能な残容量の数値表示の専用画面に切り替えた表示液晶画面５３Ａを示している。つまり表示液晶画面５３Ａは、図４に示す選択放送の種別（５３１）、図４に示す選択周波数の数値（５３２）、図４に示すプリセット操作番号の番号（５３３）等を表示出力することなく、給電可能な残容量の数値のみを表示出力するものとなっている。この表示液晶画面５３Ａにおける図示符号５３４Ａは、充電式バッテリ８１（８０）の給電可能な残容量を、該充電式バッテリ８１（８０）の満充電に対してのパーセンテージ数値として表示するものである。この図示符号５３４Ａのように、充電式バッテリ８１（８０）の給電可能な残容量をパーセンテージ数値により表示すると、上記した段階的な図柄の表示よりも、より詳細に充電式バッテリ８１（８０）の給電可能な残容量が分かる利点がある。なお、上記した実施の形態にあっては特に図示していないが、音量操作部４４を押下すると、出力スピーカ部５６からの出力音量を数値化して表示するように、表示液晶画面５３は出力音量を数値表示の専用画面に切り替わるようになっている。
【００３５】
また、上記した実施の形態にあっては、タイプが相違する複数種類の充電式バッテリとして、給電する定格電圧が相違することとなる２種類の充電式バッテリ８０（８１，８６）を例示して説明するものであった。しかしながら、本発明に係る電源としてタイプが相違する複数種類の充電式バッテリとしては、この給電する定格電圧が相違する２種類の充電式バッテリ８０（８１，８６）の例示に限定されることなく、充電式バッテリ８０（８１，８６）に具備されるセルの数、充電式バッテリ８０（８１，８６）に具備されるセルの材料等の、給電可能な残容量に影響を与える要素により区分けされるタイプであってもよい。加えて、充電式バッテリのタイプに関する種類数も、上記した２種類のみに限定されることなく、例えば３種類や４種類等の適宜の種類数のいずれのタイプかを識別するものであってもよい。具体的に言えば、上記したバッテリタイプ識別手段としてのバッテリタイプ識別スイッチ７０は、バッテリ装着部６０に１つ配設されるものであったが、本発明に係るバッテリタイプ識別手段は、このような数を限定するものではなく、例えば複数のバッテリタイプ識別スイッチ７０が配設されるものであってもよい。また、このバッテリタイプ識別スイッチ７０による検出としては、充電式バッテリ８０のスライド装着の装着動作に依存することに限定されることなく、充電式バッテリ８０の給電可能な残容量に影響を与える要素の情報を、残容量算出手段（ターミナル基板６５）に向けて送信できるようにする制御可能な構成によるものであってもよい。
【符号の説明】
【００３６】
１０  電灯付きラジオ（電気機器）
１５  機器本体
２０  電灯部
２１  手握り部
２２  滑り止め樹脂部材
２５  操作スイッチ部
２６  接点スイッチ
２８  制御基板
２９  ゴムカバー体
３１  照射部
３２  連結部
３５  照射ユニット
３６  プリセット操作部
３７  反射鏡部
３８  カバー体
４０  ラジオ部
４１  操作部
４２  主操作部
４３  副操作部
４４  音量操作部
４５  チューニング操作部
４６  プリセット操作部
４７  制御基板
４９  ＡＭアンテナ
５１  液晶画面部（外部出力手段）
５２  表示制御基板
５３  表示液晶画面
５６  出力スピーカ部
６０  バッテリ装着部
６１  スライド装着ガイド部
６２  係止凹部
６３  接続ターミナル部
６５  ターミナル基板（残容量算出手段）
６６  ヒートシンク
７０  バッテリ識別スイッチ（バッテリタイプ識別手段）
７１  接点スイッチ
７２  スイッチ本体
７３  スイッチレバー
７５  接触進退部材
７６  連接部
７７  バッテリ接触部
７９  突出孔
８０  充電式バッテリ
８１  定格電圧１４．４Ｖの充電式バッテリ
８６  定格電圧１８Ｖの充電式バッテリ
８２，８７  スライドガイド部
８３，８８  係止フック構造体
８４，８９  ターミナル端子
【図１】
2013070504.tif 000003
【図２】
2013070504.tif 000004
【図３】
2013070504.tif 000005
【図４】
2013070504.tif 000006
【図５】
2013070504.tif 000007
【図６】
2013070504.tif 000008
【図７】
2013070504.tif 000009